(57)【要約】【課題】水飛沫を受けた場合や小雨などの場合にカメラヘッドの揺動を阻害することなく水滴からデジタルカメラを保護できるカメラジャケットを提供する。【解決手段】カメラジャケット２０は、カメラヘッド用ジャケット２２と、カメラ本体用ジャケット２４との２つのジャケットで構成されている。カメラヘッド用ジャケット２２は、カメラヘッド１４の前端面１４０８に装着される装着部２６と、カメラヘッド１４の揺動軸心の回りに沿って係脱可能に掛装されて装着部２６が前端面１４０８に装着された状態を保持する帯状の取り付け部材２８とで構成されている。カメラ本体用ジャケット２４は、カメラ本体１２の矩形板部１２０２に対応する形状に形成され矩形板部１２０２を覆う矩形板部２４０２と、カメラ本体１２の柱部１２０４，１２０５に対応する形状に形成され柱部１２０４，１２０５を覆う柱部２４０４，２４０５とを備えている。【選択図】　　　　図２
2004102017.tif 000002
【特許請求の範囲】
【請求項１】
撮影光学系と該撮影光学系で結像された被写体像を検出して撮像信号を生成する撮像素子とを有するカメラヘッドと、前記カメラヘッドを揺動可能に支持するカメラ本体とからなるカメラに装着されるカメラジャケットであって、
前記カメラジャケットは、カメラヘッド用ジャケットとカメラ本体用ジャケットからなり、
カメラヘッド用ジャケットは、前記カメラヘッドの揺動軸心の回りに沿って係脱可能に掛装されてカメラヘッドに装着されるように構成され、
前記カメラ本体用ジャケットは、前記カメラ本体に装脱可能に装着されるように構成され、
前記カメラヘッド用ジャケットをカメラヘッドに装着し、かつ、前記カメラ本体用ジャケットをカメラ本体に装着した状態で、カメラヘッドはカメラ本体に対して揺動できるように構成されている、
ことを特徴とするカメラジャケット。
【請求項２】
カメラヘッド用ジャケットは、前記撮影光学系が臨むカメラヘッドの前端部に装着される装着部と、前記カメラヘッドの揺動軸心の回りに沿って係脱可能に掛装されて前記装着部が前記前端部に装着された状態を保持する帯状の取り付け部材とで構成されていることを特徴とする請求項１記載のカメラジャケット。
【請求項３】
前記装着部は硬質の合成樹脂からカメラヘッドの前端部に係合する形状に形成され、前記取り付け部材は可撓可能な合成樹脂で構成されていることを特徴とする請求項２記載のカメラジャケット。
【請求項４】
前記装着部は硬質の合成樹脂からカメラヘッドの前端部に係合する形状に形成され、前記取り付け部材は、前記装着部が前記前端部に装着された状態でカメラヘッドの揺動軸心の回りに沿った装着部の両端から延出された二つの分割片からなり、前記二つの分割片は面ファスナーにより係脱可能に連結されることを特徴とする請求項２記載のカメラジャケット。
【請求項５】
カメラヘッド用ジャケットは、前記撮影光学系が臨むカメラヘッドの前端部に装着される装着部と、前記カメラヘッドの揺動軸心の回りに沿って係脱可能に掛装されて前記装着部が前記前端部に装着された状態を保持する帯状の取り付け部材とで構成され、前記装着部は硬質の合成樹脂からカメラヘッドの前端部に係合する形状に形成され、前記装着部が前記撮影光学系の前方に臨む箇所には窓が開口され、この窓には透明板が組み込まれていることを特徴とする請求項１記載のカメラジャケット。
【請求項６】
前記カメラヘッドの前端部には、前記撮影光学系の側方にフラッシュライトが設けられ、前記装着部が前記フラッシュライトの前方に臨む箇所には窓が開口され、この窓には透明板が組み込まれていることを特徴とする請求項５記載のカメラジャケット。
【請求項７】
前記カメラ本体は、ほぼ矩形板状の矩形板部と、この矩形板部の上部の左右両側からそれぞれ突設された柱部と、前記矩形板部の上部と左右両側の柱部の間に該カメラ本体の前後方向及び上方に開放状に形成された収容部とを備え、前記カメラヘッドは前記収容部に配設され、前記カメラ本体用ジャケットはカメラ本体の矩形板部に装着される矩形板部と、矩形板部の上部の左右から突設されカメラ本体の左右両側の柱部にそれぞれ装着される左右の柱部を備え、前記カメラ本体用ジャケットの前記矩形板部の底面または矩形板部の底面から側面にわたり開閉可能な開閉口が設けられ、前記カメラ本体用ジャケットは前記開閉口を開いた状態で柱部の上端から柱部、矩形板部へと装着されたのち前記開閉口が閉塞されることでカメラ本体に装着されることを特徴とする請求項１記載のカメラジャケット。
【請求項８】
前記カメラ本体は、ほぼ矩形板状の矩形板部と、この矩形板部の上部の左右両側からそれぞれ突設された柱部と、前記矩形板部の上部と左右両側の柱部の間に該カメラ本体の前後方向及び上方に開放状に形成された収容部とを備え、前記カメラヘッドは前記収容部に配設され、前記カメラ本体用ジャケットはカメラ本体の矩形板部に装着される矩形板部と、矩形板部の上部の左右から突設されカメラ本体の左右両側の柱部にそれぞれ装着される左右の柱部を備え、前記カメラ本体用ジャケットがカメラ本体に装着された状態で、カメラ本体用ジャケットの柱部が前記収容部に臨む部分と、カメラ本体用ジャケットの矩形板部が前記収容部に臨む部分とにわたり単一の開口が形成されていることを特徴とする請求項１記載のカメラジャケット。
【請求項９】
前記カメラ本体用ジャケットがカメラ本体に装着された状態で、カメラ本体用ジャケットの柱部が前記収容部に臨む前後および上部の縁部分と、カメラ本体用ジャケットの矩形板部が前記収容部に臨む前後の縁部分は硬質の合成樹脂からなる枠状部材で構成され、その他の残りの部分は可撓可能な合成樹脂により形成され、前記開口は前記枠状部材の内側に形成されいることを特徴とする請求項８記載のカメラジャケット。
【請求項１０】
カメラヘッド用ジャケットは、前記撮影光学系が臨むカメラヘッドの前端部に装着される装着部と、前記カメラヘッドの揺動軸心の回りに沿って係脱可能に掛装されて前記装着部が前記前端部に装着された状態を保持する帯状の取り付け部材とで構成され、前記装着部の左右方向の両端からガイドピンが突設され、前記枠状部材の上部で前記収容部に臨む縁部分に前記ガイドピンが挿入されるガイド溝が形成され、前記ガイド溝は前記カメラヘッドが揺動する際に前記ガイドピンを案内すべく円弧状に形成されていることを特徴とする請求項９記載のカメラジャケット。
【請求項１１】
前記カメラ本体用ジャケットはカメラ本体の面に合わされる面を有して構成され、前記カメラ本体用ジャケットの面を構成する箇所は透明で可撓可能な材料で形成されていることを特徴とする請求項１記載のカメラジャケット。
【発明の詳細な説明】
【０００１】
【発明の属する技術分野】
本発明はデジタルカメラなどに装着されるカメラジャケットに関する。
【０００２】
【従来の技術】
デジタルカメラの防水カバーは従来から知られている（例えば、特許文献１参照）。
【０００３】
【特許文献１】
特開平１０−３０７３２５号公報（図１）
【０００４】
この種の防水カバーは、撮影光学系や撮像素子などの全てのカメラ構成部品が単一のボディに組み込まれたデジタルカメラを対象としており、デジタルカメラ全体が収容されるように構成されている。
一方、近年では、撮影光学系と該撮影光学系で結像された被写体像を検出して撮像信号を生成する撮像素子とを有するカメラヘッドと、前記カメラヘッドを揺動可能に支持するカメラ本体との２つのボディから構成されたデジタルカメラが提供されている。
このようなデジタルカメラでは、カメラヘッドの揺動時には、カメラヘッドはカメラ本体の輪郭の外側に突出する。
【０００５】
【発明が解決しようとする課題】
したがって、２つのボディから構成されたデジタルカメラの場合、その全体が収容されるように防水カバーを構成した場合には、カメラヘッドが防水カバーに当たりカメラヘッドが揺動できなくなる不具合が生じる。
本発明は前記事情に鑑みてなされたものであり、その目的とするところは、完全な防水カバーとは言えないものの、水飛沫を受けた場合や小雨などの場合にカメラヘッドの揺動を阻害することなく水滴からデジタルカメラを保護できるカメラ用ジャケットを提供することにある。
【０００６】
【課題を解決するための手段】
本発明は、前記目的を達成するため、撮影光学系と該撮影光学系で結像された被写体像を検出して撮像信号を生成する撮像素子とを有するカメラヘッドと、前記カメラヘッドを揺動可能に支持するカメラ本体とからなるカメラに装着されるカメラジャケットであって、前記カメラジャケットは、カメラヘッド用ジャケットとカメラ本体用ジャケットからなり、カメラヘッド用ジャケットは、前記カメラヘッドの揺動軸心の回りに沿って係脱可能に掛装されてカメラヘッドに装着されるように構成され、前記カメラ本体用ジャケットは、前記カメラ本体に装脱可能に装着されるように構成され、前記カメラヘッド用ジャケットをカメラヘッドに装着し、かつ、前記カメラ本体用ジャケットをカメラ本体に装着した状態で、カメラヘッドはカメラ本体に対して揺動できるように構成されていることを特徴とする。
そのため、本発明によれば、カメラヘッドを揺動させつつ撮影を行なえ、また、水滴のカメラへの付着を防止する上で極めて有利となる。
【０００７】
【発明の実施の形態】
以下、本発明によるカメラジャケットの実施の形態を図面に基づいて詳細に説明する。
まず、本発明のカメラジャケットが装着されるデジタルカメラから説明する。
図８はデジタルカメラの斜視図を示す。
デジタルカメラ１０は、カメラ本体１２と、該カメラ本体１２に対して揺動可能に支持されたカメラヘッド１４とを備えている。
前記カメラ本体１２は、ほぼ矩形板状の矩形板部１２０２と、この矩形板部１２０２の上部の左右両側からそれぞれ突設された柱部１２０４，１２０５とを備えている。
そして、矩形板部１２０２の上部と左右両側の柱部１２０４，１２０５の間に該カメラ本体１２の前後方向及び上方に開放状の収容部１２０６が形成されている。
前記左右両側の柱部１２０４，１２０５の上端は同じ高さで形成され、互いに同一形状の円筒面で形成されている。
前記左側の柱部１２０４の上端にはシャッターボタン１２１０が設けられ、左側の柱部１２０４の左側面の上方寄り箇所には、カメラ１０の動作モードを複数種類の撮影モード、再生モードに切り換えるモード切換ダイアル１２１２が設けられ、矩形板部１２０２の後面にはモニタ１２１４が設けられている。
【０００８】
前記カメラヘッド１４は前記柱部１２０４，１２０５と同一の厚さで形成され、カメラヘッド１４の左右側面１４０２、正面１４０４、背面１４０６、前端面１４０８は平坦面で形成され、後端面１４１０は前記柱部１２０４，１２０５と同一形状の円筒面で形成されている。
前記カメラヘッド１４は前記収容部１２０６に配設され、カメラヘッド１４の左右側面１４０２箇所が両側の柱部１２０４，１２０５に支持され、カメラヘッド１４は、カメラ１０の左右方向に延在する揺動軸心の周りに揺動可能に配設されている。
【０００９】
前記カメラヘッド１４の左側部には、撮影光学系と撮像素子が配設され、カメラヘッド１４の右側部には、フラッシュライト１４１２が配設されている。
前記撮影光学系は、被写体像を結像するものであり、前記撮像素子は、撮影光学系で結像された被写体像を検出して撮像信号を生成するものであり、この撮像信号は不図示のカメラ信号処理部によって処理されることによって画像データが生成され、前記モニタ１２１４に表示される。
前記フラッシュライト１４１２は、フラッシュライト駆動回路から供給される駆動信号に基づいて発光し、被写体に光を照射するように構成されている。
そして、カメラヘッド１４の前端面１４０８の左側部には、前記撮影光学系の前方に位置するように撮影レンズ用窓１４１４が設けられ、この撮影レンズ用窓１４１４には、前記撮影光学系を構成する撮影レンズ１４１６が露出するように配設されている。
また、カメラヘッド１４の前端面１４０８の右側部には、前記フラッシュライト１４０２の前方に位置するようにフラッシュライト用窓１４１８が設けられている。
図８（Ｂ）に示すように、前記カメラヘッド１４は、前端面１４０８を前記収容部１２０６の底面に臨ませた状態で収納位置となり、図８（Ａ）に示すように、この収納位置から揺動させ前端面１４０８をカメラ本体１２の外方に向けた状態で使用位置（撮影可能位置）となる。
【００１０】
次に、以上の構成からなるカメラに装着されるカメラジャケットについて説明する。
図１はカメラジャケットが装着された状態のデジタルカメラの斜視図、図２（Ａ）はカメラジャケットが装着された状態のデジタルカメラの側面図、（Ｂ）は同正面図、（Ｃ）は同平面図である。
図１に示すように、カメラジャケット２０は、カメラヘッド用ジャケット２２と、カメラ本体用ジャケット２４との２つのジャケットで構成されている。
【００１１】
前記カメラヘッド用ジャケット２２は、カメラヘッド１４の揺動軸心の回りに沿って係脱可能に掛装されてカメラヘッド１４に装着されるように構成されている。
図３（Ａ）はカメラヘッド用ジャケットの側面図、（Ｂ）は正面図、（Ｃ）は（Ｂ）のＣＣ線断面図である。
前記カメラヘッド用ジャケット２２は、カメラヘッド１４の前端面１４０８に装着される装着部２６と、カメラヘッド１４の揺動軸心の回りに沿って係脱可能に掛装されて装着部２６が前端面１４０８に装着された状態を保持する帯状の取り付け部材２８とで構成されている。
前記装着部２６は硬質の合成樹脂（例えば、ＡＢＳ樹脂）からカメラヘッド１４の前端面１４０８に係合する形状に形成され、本実施の形態では矩形枠状に形成されている。
【００１２】
前記装着部２６がカメラヘッド１４の前端面１４０８に装着された状態で、前記撮影レンズ１４１６およびフラッシュライト１４１２前方に臨む箇所には、これら撮影レンズ１４１６およびフラッシュライト１４１２がその内側に入るように左右に横長の窓２６０２が開口され、この窓２６０２には合成樹脂製の透明板２６０４が組み込まれている。なお、図２（Ｂ）、（Ｃ）において符号２６０６は、撮影レンズ１４１６の前方箇所と、フラッシュライト１４１２の前方箇所とを仕切るように窓２６０２の上縁と下縁とにわたって上下に延在するリブを示す。
また、前記装着部２６の左右方向の両端から円柱状のガイドピン２６０８がそれぞれ突設されている。
【００１３】
前記取り付け部材２８は、カメラヘッド１４の揺動軸心の回りに沿って係脱可能にカメラヘッド１４に掛装されて前記装着部２６が前記前端面１４０８に装着された状態を保持するものである。
前記取り付け部材２８は、カメラヘッド１４の左右方向の幅とほぼ同じ寸法の幅を有して形成され、可撓可能な薄板状の合成樹脂で形成されている。本実施の形態では、合成樹脂として透明なビニール（ポリエチレンまたは塩化ビニル）が用いられている。
また、本実施の形態では、前記取り付け部材２８は、前記装着部２６が前記前端面１４０８に装着された状態でカメラヘッド１４の揺動軸心の回りに沿った装着部２６の両端（装着部２６の上下端部）から延出された二つの分割片２８０２、２８０４で構成されている。そして各分割片２８０２，２８０４の端部に面ファスナー２８０６が設けられ、二つの分割片２８０２，２８０４はこれら面ファスナー２８０６により係脱可能に連結できるように構成されている。
【００１４】
前記カメラヘッド用ジャケット２２のカメラヘッド１４への装着は、図８（Ａ）に示すように、まず、カメラヘッド１４を収納位置から例えば９０度揺動させる。
次に、装着部２６をカメラヘッド１４の前端面１４０８に装着し、分割片２８０２，２８０４をカメラヘッド１４の正面１４０４と背面１４０６に沿って延在させる。
そして、長さの大きい一方の分割片２８０２をカメラヘッド１４の後端面１４１０から背面１４１０３へとカメラヘッド１４の揺動軸心の回りに沿って掛装し、両分割片２８０２，２８０４の端部の面ファスナー２８０６を係合させることで装着させる。
前記カメラヘッド用ジャケット２２を取り外す場合にも、同様にまず、カメラヘッド１４を収納位置から例えば９０度揺動させた状態とし、前記とは逆の手順で行なう。
【００１５】
前記カメラ本体用ジャケット２４は前記カメラ本体１２に装脱可能に装着されるように構成されている。
図４（Ａ）はカメラ本体用ジャケットの側面図、（Ｂ）は同正面図、（Ｃ）は同平面図、図５（Ａ）、（Ｂ）はそれぞれカメラ本体用ジャケットの柱部の斜視図、図６はカメラ本体用ジャケットの底部の斜視図である。
前記カメラ本体用ジャケット２４は、カメラ本体１２の矩形板部１２０２に対応する形状に形成され矩形板部１２０２を覆う矩形板部２４０２と、カメラ本体１２の柱部１２０４，１２０５に対応する形状に形成され柱部１２０４，１２０５を覆う柱部２４０４，２４０５とを備え、カメラ本体１２にジャストフィットするように構成されている。
前記カメラ本体用ジャケット２４の矩形板部１２０２および柱部１２０４，１２０５の面を構成する箇所は、可撓可能な薄板状の合成樹脂で形成されている。本実施の形態では、合成樹脂として透明なビニール（ポリエチレンまたは塩化ビニル）２４３０が用いられている。このようにカメラ本体用ジャケット２４の面を構成する箇所に透明材料を用いたので、カメラ操作部材の箇所が外部から視認でき、シャッターボタン１２１０などのような押圧操作する操作部材の操作をカメラ本体用ジャケット２４の外側から簡単に行なう上で有利となる。
【００１６】
図４、図５（Ａ）、（Ｂ）に示すように、前記矩形板部２４０２の上部には開口２４１０が形成されており、この開口２４１０を介して矩形板部２４０２の上部は上方に開放状に形成されている。
また、柱部１２０４，１２０５の内側の側面にもそれぞれ開口２４１４，２４１５が形成されており、これら開口２４１４，２４１５を介して柱部１２０４，１２０５の内側面は開放状に形成されている。
【００１７】
そして、矩形板部２４０２の開口２４１０の前後の縁部分と、柱部２４０４，２４０５の開口２４１４，２４１５の縁部分には、硬質の合成樹脂（例えば、ポリカーボネイト）からなる枠状部材２４３２が取着されている。
すなわち、カメラ本体用ジャケット２４がカメラ本体１２に装着された状態で、カメラヘッド１４の収容部１２０６に臨む左右両側の柱部１２０４，１２０５の縁に沿って装着される箇所２４３２Ａと、収容部１２０６に臨む矩形板部２４０２の前後の縁に沿って装着される箇所２４３２Ｂとからなる枠状部材２４３２が設けられ、枠状部材２４３２の内側には、前記開口２４１０，２４１４，２４１５が繋がった単一の開口が形成される。
この枠状部材２４３２は、カメラ本体用ジャケット２４がカメラ本体１２に装着された際にカメラ本体用ジャケット２４のずれや変形を防止するものである。
また、カメラ本体用ジャケット２４がカメラ本体１２に装着された状態で、カメラ本体１２の外側の角部に臨む箇所には、可撓可能で軟質の合成樹脂２４３４がビニール２４３０に対して取着されており、カメラ本体用ジャケット２４の角部をこの合成樹脂２４３４により保護し補強している。
【００１８】
なお、カメラヘッド用ジャケット２２の装着部２６はカメラヘッド１４の前端面１４０８に係合される関係上、装着部２６の左右方向の幅は前端面１４０８の左右幅よりも大きい寸法となっており、カメラヘッド２２の揺動に伴いこの装着部２６も揺動する。
したがって、この装着部２６の揺動が支障なく行われるように、カメラ本体用ジャケット２４の柱部２４０４，２４０５の開口２４１４，２４１５の縁部分２４３２Ｂは、すなわち、柱部２４０４，２４０５が収容部１２０６に臨む部分２４３２Ｂは、図２（Ｂ）に示すように、カメラ本体１２の柱部１２０４，１２０５が収容部１２０６に臨む部分よりも左右方向の外側に偏位して位置するように形成されている。
【００１９】
図５（Ａ）、（Ｂ）に示すように、カメラ本体用ジャケット２４の柱部２４０４，２４０５の開口２４１４，２４１５の縁部分２４３２Ｂは、すなわち、柱部２４０４，２４０５が収容部１２０６に臨む部分２４３２Ｂには、カメラヘッド１４が揺動する際に前記ガイドピン２６０８に係合可能なガイド溝２４４０，２４４２が円弧状に形成されている。
また、右側の柱部２４０５のガイド溝２４４２の下縁に沿った箇所には、ガイド板２４４４がガイド溝２４４２に沿って円弧状に突設されている。このガイド板２４４４はカメラヘッド１４の側面１４０２の近傍まで延在し、前記装着部２６の後端面およびガイドピン２６０８に接触することで、カメラヘッド１４の揺動時における装着部２６の揺動がより円滑になされるように構成されている。
これらガイドピン２６０８およびガイド溝２４４０，２４４２は、カメラヘッド用ジャケット２２をカメラヘッド１４に装着し、カメラ本体用ジャケット２４をカメラ本体１２に装着した際に、双方のジャケット２２，２４を繋げ、双方のジャケット２２，２４に一体性を持たせたものである。
【００２０】
図６に示すように、カメラ本体用ジャケット２４の底部には、矩形板部２４０２の各面の下端からそれらの面と同じ幅でそれぞれ開閉片２４５０，２４５２，２４５４，２４５６が延在形成され、開閉片２４５０，２４５２，２４５４，２４５６の基部の内側に開閉口２４５８が設けられ、開閉口２４５８からカメラ本体用ジャケット２４がカメラ本体１２に装着されるように構成されている。
前記開閉片２４５０，２４５２，２４５４，２４５６は矩形板部２４０２と同様にビニール２４３０製であり、矩形板部２４０２の正面から延出された開閉片２４５４の縁と、矩形板部２４０２の背面から延出された開閉片２４５６の縁には軟質の合成樹脂２４３４がビニール２４３０に対して取着されている。
矩形板部２４０２の側面から延出された開閉片２４５０，２４５２は、その延出長さが小さい寸法で形成され、各開閉片２４５０，２４５２の外面にそれぞれ面ファスナー２４５０Ａ、２４５２Ａが取着されている。
矩形板部２４０２の正面から延出された開閉片２４５４は、その延出長さが矩形板部２４０２の厚さと同じ寸法で形成され、開閉片２４５４の内面の全域に面ファスナー２４５４Ａが取着されている。
矩形板部２４０２の背面から延出された開閉片２４５６は、その延出長さが矩形板部２４０２の厚さと同じ寸法で形成され、開閉片２４５６の内面で左右方向の両側にそれぞれ面ファスナー２４５６Ａが取着され、開閉片２４５６の外面の全域に面ファスナー２４５６Ｂが取着されている。
【００２１】
前記カメラ本体用ジャケット２４のカメラ本体１２への装脱は、図８（Ｂ）に示すように、カメラヘッド用ジャケット２２がカメラヘッド１４に装着されていない状態で、かつ、カメラヘッド１４を収納位置に位置させ、あるいは、カメラヘッド１４を真上に向けた状態で行なう。
すなわち、全ての開閉片２４５０，２４５２，２４５４，２４５６を開き、この開かれたカメラ本体用ジャケット２４の開閉口２４５８にカメラヘッド１４の柱部１２０４，１２０５を入れ、カメラ本体１２の柱部１２０４，１２０５の上端から柱部１２０４，１２０５、矩形板部１２０２へと装着し、カメラ本体用ジャケット２４の柱部１２０４，１２０５、矩形板部１２０２をカメラ本体１２の柱部１２０４，１２０５、矩形板部１２０２に装着し、開閉片２４５０，２４５２，２４５４，２４５６を閉じ、カメラ本体用ジャケット２４の開閉口２４５８を閉塞することで行なう。
開閉口２４５８の閉塞は、矩形板部２４０２の側面から延出された開閉片２４５０，２４５２を閉じ、次に、矩形板部２４０２の背面から延出された開閉片２４５６を閉じ、矩形板部２４０２の側面から延出された開閉片２４５０，２４５２の面ファスナー２４５０Ａ、２４５２Ａと矩形板部２４０２の背面から延出された開閉片２４５６の内面の面ファスナー２４５６Ａとを係合させる。
【００２２】
次に、矩形板部２４０２の正面から延出された開閉片２４５４を閉じ、開閉片２４５４の面ファスナー２４５４Ａを開閉片２４５６の外面の面ファスナー２４５６Ｂに係合させる。
これにより開閉口２４５８が閉塞され、開閉口２４５８の開放は前記と逆の操作により行なう。
なお、カメラヘッド用ジャケット２２をカメラヘッド１４に装着し、かつ、カメラ本体用ジャケット２４をカメラ本体１２に装着した状態で、カメラヘッド１４は、装着部２６が枠状部材２４３２に当たるため図８（Ｂ）に示す収納位置およびその近傍では揺動させることはできないものの、それ以外の範囲での揺動は可能であり、例えば、図８（Ａ）に実線および想像線で示すように、カメラヘッド１４をカメラ１０の前方および後方に向けた１８０度の範囲では無論揺動可能である。
【００２３】
本実施の形態では、カメラヘッド用ジャケット２２をカメラヘッド１４に装着し、かつ、カメラ本体用ジャケット２４をカメラ本体１２に装着した状態で、すなわち、カメラジャケット２０をカメラ１０に装着した状態で、シャッターボタン１２１０を押すと前記撮影光学系、窓２６０２、透明板２６０４を介して撮影を行なえ、また、フラッシュライ１４１２から発光される光も窓２６０２、透明板２６０４を介して被写体に照射させることが可能となる。
また、カメラヘッド２０は、収納位置の近傍以外の範囲で揺動させることができ、したがって、カメラ１０の前方および後方に向けた状態で撮影を行なうことができる。
また、例えば、プールサイドなどで水飛沫を受けたような場合、あるいは、屋外で雨が降り始めてきたような場合であっても、カメラ１０の大半はカメラジャケット２０により覆われているため、水滴はカメラジャケット２０に当たることになり、水滴のカメラ１０への付着を防止する上で極めて有利となる。
【００２４】
次に、第２の実施の形態について説明する。
図７は第２の実施の形態に係るカメラジャケットが装着された状態のデジタルカメラの斜視図である。
第１の実施の形態と同様な箇所、部材に同一の符号を付して説明すると、図７に示すように、第２の実施の形態に係るカメラジャケット２０は、カメラヘッド用ジャケット２２と、カメラ本体用ジャケット２４との２つのジャケットで構成されている。
そして、第２の実施の形態では、第１の実施の形態の柱部２４０４，２４０５の内側に相当する箇所が蛇腹部２４０４Ａ，２４０５Ａとして形成され、カメラ本体用ジャケット２４の形状に変化を持たせている。
蛇腹部２４０４Ａ，２４０５Ａは、硬質の合成樹脂（例えば、ポリカーボネイト）を用いて枠状部材２４３２と一体に形成されている。
また、矩形板部２４０２の底面から側面、蛇腹部２４０５Ａの側面にわたりカメラ本体１２を装脱するためのファスナー３０が設けられている。
このような第２の本実施の形態によっても、カメラヘッド２０をカメラ１０の前方および後方に向けた状態でシャッターボタン１２１０の操作により撮影を行なえ、また、フラッシュライ１４１２の光を被写体に照射させることが可能となり、水滴のカメラ１０への付着を防止する上で極めて有利となる。
【００２５】
なお、本実施の形態では、装着部２６を硬質の合成樹脂で形成したが、装着部２６を弾性を有するゴム部材で形成し、装着部２６の弾性によってカメラヘッド１４の前端面１４０８に嵌合された状態を保持するように構成してもよい。
また、本実施の形態では、取り付け部材２８の両端を装着部２８に連結し、装着部２８と取り付け部材２８によりカメラヘッド１４の揺動軸心の回りに沿ったカメラヘッド１４の全周（周囲）に装着させる構成としたが、装着部２８と取り付け部材２８をカメラヘッド１４の揺動軸心の回りに沿ったカメラヘッド１４の全周に装着させず、取り付け部材２８の一端をカメラヘッド１４の適宜箇所に係止させるようにしてもよい。
【００２６】
【発明の効果】
以上説明したように本発明のカメラジャケットによれば、カメラヘッドを揺動させつつ撮影を行なえ、また、水滴のデジタルカメラへの付着を防止する上で極めて有利となる。
【図面の簡単な説明】
【図１】カメラジャケットが装着された状態のデジタルカメラの斜視図である。
【図２】（Ａ）はカメラジャケットが装着された状態のデジタルカメラの側面図、（Ｂ）は同正面図、（Ｃ）は同平面図である。
【図３】（Ａ）はカメラヘッド用ジャケットの側面図、（Ｂ）は正面図、（Ｃ）は（Ｂ）のＣＣ線断面図である。
【図４】（Ａ）はカメラ本体用ジャケットの側面図、（Ｂ）は同正面図、（Ｃ）は同平面図である。
【図５】（Ａ）、（Ｂ）はそれぞれカメラ本体用ジャケットの柱部の斜視図である。
【図６】カメラ本体用ジャケットの底部の斜視図である。
【図７】第２の実施の形態に係るカメラジャケットが装着されたデジタルカメラの斜視図である。
【図８】デジタルカメラの斜視図である。
【符号の説明】
１０……デジタルカメラ、１２……カメラ本体、１４……カメラヘッド、２０……カメラジャケット、２２……カメラヘッド用ジャケット、２４……カメラ本体用ジャケット、２６……装着部、２８……取り付け部材。
【図１】
2004102017.tif 000003
【図２】
2004102017.tif 000004
【図３】
2004102017.tif 000005
【図４】
2004102017.tif 000006
【図５】
2004102017.tif 000007
【図６】
2004102017.tif 000008
【図７】
2004102017.tif 000009
【図８】
2004102017.tif 000010